(57)【要約】      （修正有）【課題】図画や写真等を特に加工しないで現物の状態で照明表示する額縁を提供する。【解決手段】矩形形状額縁の筐体の向かい合う二壁面を一対としてその各中空内面に沿い直線状に設けられる光源及び光源近傍の筐体縁辺部と筐体底面の各内面位置に反射面を、かつ筐体縁辺部に囲まれ筐体底面に相対する上面内にその中央部が下方に凸な断面形状のアクリル、ポリカーボネート等透明板を設ける。【選択図】図１
0003160338.tif 000002
【実用新案登録請求の範囲】
【請求項１】
矩形形状額縁の筐体部の向かい合う二壁面を一対としてその各中空内面に沿い直線状に設けられる光源及び該光源近傍の該筐体縁辺部と底面の各内面位置に反射面を、かつ該筐体縁辺部に囲まれ該底面に相対する上面内にその中央部が下方に凸な断面形状のアクリル、ポリカーボ等透明板を設け、該底面内部に設置される図画、写真、文書あるいは工作物等被照明体を照射できる構造より成る照明付き額縁。
【請求項２】
請求項１に記載の照明付き額縁において、該光源近傍の向かい合う該筐体縁辺部内面に設ける反射面の一端を中央部が下方に凸な断面形状の該透明板の縁辺部側で連接し、それぞれの他端をそれぞれの光源上部に近接して設け、該底面内部に設置される図画、写真、文書あるいは工作物等被照明体を照射できる構造より成る照明付き額縁。
【請求項３】
請求項１に記載の照明付き額縁における中央部が下方に凸な断面形状の該透明板とその縁辺部側で、請求項２に記載の該光源近傍の向かい合う該筐体縁辺部内面に設ける反射面の一端を一体的に連続して形成し、それぞれの他端をそれぞれの光源上部に近接して設け、該底面内部に設置される図画、写真、文書あるいは工作物等被照明体を照射できる構造より成る照明付き額縁。
【請求項４】
請求項２に記載の照明付き額縁において、該直線状光源をその長手軸方向と直交する放射光の主たる向きが該筐体に設けられる中央部が下方に凸な断面形状の該透明板方向となるよう配設し、該底面内部に設置される図画、写真、文書あるいは工作物等被照明体を照射できる構造より成る照明付き額縁。
【請求項５】
請求項１に記載の照明付き額縁において、該筐体に設けられる中央部が下方に凸な断面形状の該透明板の上に平面状のガラスあるいはアクリル等透明板を重ねて設け、該底面内部に設置される図画、写真、文書あるいは工作物等被照明体を照射できる構造より成る照明付き額縁。
【請求項６】
請求項１に記載の照明付き額縁において直線状に設けられる光源の背面に反射鏡等反射面を有する材料あるいは前面に集光レンズ等光路を屈折変更させる装置を付加して光路調節し被照明体を照射できる構造より成る照明付き額縁。
【考案の詳細な説明】
【技術分野】
【０００１】本考案は矩形形状の額縁の縁辺筐体内部に照明装置を持ち、その底面に設置される図画、写真、文書あるいは工作物等被照明体（以下被照明体）を照明する額縁、写真立て、表示板等（以下額縁等）の装置および方式に関するものである。
【背景技術】
【０００２】近年いわゆる「デジタルフォトフレーム」としてデジタルカメラで得たデジタルの写真情報を液晶表示装置で多様に表示する専用機器が商品化され広まりつつある。また写真をフィルムや透明な樹脂板に特別の方法で半透明状態に印刷しその背面からいわゆるバックライト光源で照射する表示装置は従来から存在する。しかし図画、写真等の画面が印刷または印画された紙や布等画材類あるいは押し花、キルティング、切り絵、刺繍布や立体的なレリーフや玩具等工作物類の現物をそのまま被照明体として照明表示できる額縁や類似の写真立てのような装置は現時点で市場ではほとんど確認できない。
【実用新案文献】
登録実用新案第３１５４０２２号
【実用新案文献】
実願２００９−００７９４６
【考案の開示】
【０００３】本考案は、筐体壁面の中空内部に沿って設けられた光源で該筐体内に装着された被照明体をそのままの状態で厚みが小さいわりに比較的大きな表面積を有するにもかかわらずほぼ均等に照明できる額縁を提供する。被照明体の表面積はポスター大程度まで可能で筐体の厚みは数センチ程度以下の実用的な形態を実現する。
【考案が解決しようとする課題】
【０００４】前述のように額縁の筐体は被照明体の表面積に比しその厚みが小さいため被照明体を該筐体の底面中央部に特に加工せず配設しその表面側で比較的内部空間のとれる額縁筐体の周辺部（縁辺部）壁面内に収納した光源で該被照明体を前方から照射する構成が通常考えられる。しかしこの際光源は被照明体を前方ななめから照明することになるので光源に近い部分は明るく遠い部分は暗くなりやすいため該額縁筐体の縁辺壁面内に多くの照明用光源を設けても被照明体の周辺部は明るく中央部は暗くなって均等に照明されない傾向がある。本考案はこのような構成にあっても被照明体をほぼ均一な照度で照明するため、光源の形態、光路の反射や屈折の仕方および被照明体との相互位置関係等を最適になるよう構成し簡単な構造ながら均等で鮮明な照明付き額縁の実現を図る。
【課題を解決するための手段】
【０００５】本考案の照明付き額縁はその矩形筐体内の底面に被照明体を装着し、その周囲上方で体面して互いに向き合う一対の額縁縁辺部の筐体壁面内に光源を収納し、この光が額縁天面（上方）に設けられる底面（下方）方向に凸な断面形状のガラスあるいはアクリル等樹脂面（以下透明板）の表面で効率的に反射され主に額縁中央下方の底面の被照明体方向に向くよう照射され、別途直接的に被照明体に向かう光で明るくなりやすい該額縁縁辺部近傍とあわせて互いに補完し全体としてほぼ均等な照明効果が得られるよう設定される。該光源は蛍光管や冷陰極管（ＣＣＦＬ）のような線状の発光体あるいは発光ダイオード（ＬＥＤ）を複数直線上に適宜並べたものを該額縁の内部に設けて構成される。通常直線状光源から長手軸方向と直交する放射状方向に出射され該被照明体に直達する光は光源に近い部分は明るく遠く離れた部分は拡散して略距離の二乗に反比例して暗くなり前述のように被照明体の照度にはムラが生じ均質で鮮明な照明が得にくくなってしまうが、本考案はこのような不都合を光源からの直達光だけでなく非直達光が該反射系で反射し光源より遠方まで到達して明るく照射し有効に活用されるとともに、相対する該縁辺部の光源で相互補完する全く新しい方法を用いることで解決する。
【発明の効果】
【０００６】本考案により、簡易に図画、写真、文書あるいは工作物等を新たに加工することなく通常状態のまま比較的大きい画面でも均等な明るさで前面から照明できる額縁は写真立てとして転用できるのはもちろん、業務用の照明付き広告板、展示装置、表示板等にも活用できる。本考案により、飾りたいものや思い出の品を明るく照らしてより美しく演出し見る人に安らぎを与え、また人目をひきたい事物を鮮明に強く訴求でき併せて夜間照明にも利用できる新商品分野の開拓が期待できる。
【実施例】
【０００７】以下、本考案を図１、図２、図３の応用実施例について説明する。図１は本考案による装置の代表例としての照明付き額縁の構造の概略斜視図であり、図２は図１のＸ−Ｘ側断面図、図３は図２の応用例である。本装置の構造は主に該照明付き額縁筐体の額縁筐体（１）、額縁縁辺部（２）額縁筐体中央の上部透明板（３）、株透明板（９）、筐体の底面（６）の主構造体と額縁縁辺部（２）の内面に設けられた照明用の光源（４）、近傍に設けられる一対の上部反射面（７）と下部反射面（７１）および照明される図画等被照明体（５）で構成される。【０００８】図１におけるＹ−Ｙ線は該額縁筐体（１）の筐体の紙面に垂直な概して長手方向を示し、額縁縁辺部（２）の直下の該額縁筐体（１）の内に設置される光源（４）はその形態が蛍光管やＣＣＦＬ等線状光源とみなせる場合はその長手方向をこれと平行な方向に、複数のＬＥＤを適宜並べる場合は同様に平行な直線上に適宜装着する。それぞれの配設状態を図１の右側縁辺部および左側縁辺部に破線で、また図２の側断面にはこの線状光源（４）が中央のＣ−Ｃ線（一点鎖線で示す）の左右に対称的に設けられる状態を示す。本考案の作用効果を同図左側（同図Ａ側）の光源からの光の光路を実線矢印で、同図右側（同図Ｂ側）の光源から同光路を破線矢印で模式的に示す。光源（４）からはその側断面方向には筐体内部方向に放射状に光が発散されるが、その光路中特に太い実線及び破線で示すものは左右光源からそれぞれ筐体の底面（６）上に設けられる被照明体（５）に向かう直達光で、通常該被照明体（５）に近いＡ側は光量が相対的に多くて明るく逆に遠いＢ側は光量が少なくて暗くなる。この照度はほぼＡ側もしくはＢ側からの距離の二乗に反比例するため両者の照らす中央Ｃ部は最も暗くなり均等な照度は得られない。上記直接被照明体（５）に向かう直達光以外の左右からの光路をそれぞれ細い実線及び破線で示すが上部反射面（７）および下部透明板（９）で反射され、左側からの光はＡ側より遠方のＢ側近くまで到達でき、逆に右側からの光はＢ側より遠方のＡ側に到達できる。ここに下部反射板（９）はその側断面が図２のように左右の額縁縁辺部（２）の上方端部に両端を有しその間を該筐体の底板（６）方向に凸な形状で、アクリル板やポリカーボ板等透明材料を曲線または直線と曲線の複合断面形状に形成して額縁筐体（１）の中央上部に設けられる。また上部反射面（７）は図２のように左右それぞれの額縁縁辺部（２）下方の額縁筐体（１）内で線状光源（４）と平行な方向に設けられるが、その一端は前記下部透明板（９）の額縁縁辺部（２）側と近接し他端は該線状光源（４）の上部近傍に設けられる。この組み合わせにより非直達光は上部反射面（７）及び下部透明板（９）に向かいそれぞれ反射面への入射角が小さくなり全反射の比率が増し、併せてより中央部やより遠方に方向を設定した反射が可能となる。以上により先述の直達光と合成して光源（４）からの光は光路矢印の示すようにほぼ均等に被照明体（５）を照射する。同図額縁上向きの中抜き矢印は均一な照明効果が得られることを模式的に示す。なお上部反射板（７）の下方の底面には下部反射面（７１）を設けると光源（４）からの光を適宜反射し、また下部透明板（９）の上方に重ねて平面状のガラス板やアクリル板の上部透明板（３）を設けると下部透明板（９）で全反射せず漏れた光もある程度下方の被照明体（５）に反射し、より照明効果を向上できる。【０００９】なお、図２に示すように本考案によれば光源（４）から被照明体（５）への直達光より非直達光の比率を増すほうがより均一な照明が得やすい。このため同断面図での光源（４）からの放射光はその主な割合が適宜下部透明板（９）に向かうように設定する。同図でＬ−Ｌ線は光源（４）からの中心的な光路で前記状態を模式的に示す。【００１０】また図３の側断面図で示すように光源（４）が蛍光管やＣＣＦＬ等では光路（図示せず）がその背面にも向かうので略放物線断面の反射鏡（１０）で前方（筐体内被照明体方向）に反射させたり、ＬＥＤのように個々には点光源では前方に適当な立体角内に屈折する略凸形の集光できるレンズ（１１）を設けたりして光路（図示せず）を整え本考案の目的を補足し得る。また、ＬＥＤ光源の場合光路中に透明あるいは半透明な光拡散板（８）を設けるとより線光源の特性に近づけ照明効果も向上することがある。該反射鏡（１０）、レンズ（１１）あるいは光拡散板（８）はいずれも額縁縁辺部（２）の下方に収納され額縁筐体の上方からは見えないようにされる。【００１１】なお、本考案で示した下部透明板（９）と上部反射板（７）は一体的に形成することも可能でより取り扱い我容易になり反射効果も安定することが期待できる。また、本考案の方式は説明に用いた一対の対象位置の額縁縁辺部（２）以外の残りの縁辺部にも同様に応用できる表面積が大きい場合より効果が発揮できる。
【図面の簡単な説明】
【００１２】
【図１】本考案に係る構造の概略斜視図
【図２】本考案の側面断面図（図１のＸ−Ｘ断面部）
【図３】本考案の側面断面図（図１のＸ−Ｘ断面部）他の応用例
【符号の説明】
【００１３】（１）額縁筐体  （２）縁辺部  （３）上部透明板  （４）光源  （５）被照明体
（６）底面  （７）上部反射面  （８）拡散板  （９）下部透明板  （１０）反射鏡
（１１）レンズ  （７１）下部反射板
【図１】
0003160338.tif 000003
【図２】
0003160338.tif 000004
【図３】
0003160338.tif 000005
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
矩形形状額縁の筐体の向かい合う二壁面を一対としてその各中空内面に沿い直線状に設けられる光源及び前記光源近傍の筐体縁辺部と筐体底面の各内面位置に反射面を、かつ該筐体縁辺部に囲まれ該筐体底面に相対する上面内にその中央部が下方に凸な断面形状のアクリル、ポリカーボネート等透明板を設け、該筐体底面の内部に設置される図画、写真、文書あるいは工作物等被照明体を照射できる構造より成る照明付き額縁。
【請求項２】
請求項１に記載の照明付き額縁において、前記光源近傍の向かい合う該筐体縁辺部の内面に設ける反射面の一端を中央部が下方に凸な断面形状の該透明板の縁辺部側で連接し、それぞれの他端をそれぞれの光源上部に近接して設け、該筐体底面の内部に設置される図画、写真、文書あるいは工作物等被照明体を照射できる構造より成る照明付き額縁。
【請求項３】
請求項２に記載の照明付き額縁において、前記中央部が下方に凸な断面形状の該透明板とその縁辺部側で、前記光源近傍の向かい合う該筐体縁辺部の内面に設ける反射面の一端を一体的に連続して形成し、それぞれの他端をそれぞれの光源上部に近接して設け、該筐体底面の内部に設置される図画、写真、文書あるいは工作物等被照明体を照射できる構造より成る照明付き額縁。
【請求項４】
請求項２に記載の照明付き額縁において、前記直線状に設けられる光源をその長手軸方向と直交する放射光の主たる向きが該筐体に設けられる中央部が下方に凸な断面形状の該透明板方向となるよう配設し、該筐体底面の内部に設置される図画、写真、文書あるいは工作物等被照明体を照射できる構造より成る照明付き額縁。
【請求項５】
請求項１に記載の照明付き額縁において、該筐体に設けられる中央部が下方に凸な断面形状の該透明板の上に平面状のガラスあるいはアクリル等透明板を重ねて設け、該筐体底面の内部に設置される図画、写真、文書あるいは工作物等被照明体を照射できる構造より成る照明付き額縁。
【請求項６】
請求項１に記載の照明付き額縁において前記直線状に設けられる光源の背面に反射鏡等反射面を有する材料あるいは前面に集光レンズ等光路を屈折変更させる装置を付加して光路調節し被照明体を照射できる構造より成る照明付き額縁。